【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
各セグメントが、各デューティサイクルを有するパルス幅変調制御信号に対する応答として第１の色の光および第２の色の光を放射するように構成されている複数のセグメントを備える照明パネルを較正する方法であって、
前記第１の色の光および前記第２の色の光を同時に放射するように前記複数のセグメントを励起するステップと、
測定位置において前記複数のセグメントに対する組合せ光出力を測定して、前記照明パネルの前記複数のセグメントに対する総放射データを取得するステップと、
前記第１の色の光および前記第２の色の光のそれぞれに対する個別のスペクトル分布を、これらの光に対応する各波長帯にわたって前記総放射データに基づいて導出するステップとを含む方法。
【請求項２】
請求項１に記載の方法において、
前記個別のスペクトル分布を導出するステップは、
前記第１の色の光および前記第２の色の光のそれぞれに対する前記個別のスペクトル分布を、前記第１の色の光および前記第２の色の光のそれぞれに対する前記総放射データおよびレファレンス放射データに基づいて導出するステップを含む方法。
【請求項３】
請求項２に記載の方法において、
前記個別のスペクトル分布を導出するステップは、さらに、
局所的ピークに関する第１の波長および第２の波長を、前記総放射データに基づいて前記第１の色および第２の色のそれぞれに対応する各波長帯において決定するステップと、
アルゴリズムに対する各点を、前記第１の波長値および前記第２の波長値に基づいて選択するステップと、
前記各開始点に基づいて前記アルゴリズムを使用して、前記第１の色の光および前記第２の色の光のそれぞれに対する前記個別のスペクトル分布を計算するステップとを含む方法。
【請求項４】
請求項３に記載の方法において、
前記各点は前記アルゴリズムに対する開始点を含み、前記第１の色の光および前記第２の色の光のそれぞれに対する前記個別のスペクトル分布を計算するステップは、
前記第１の波長と前記第２の波長との間の波長帯に対する前記個別のスペクトル分布の部分を外挿するステップを含む方法。
【請求項５】
請求項４に記載の方法であって、さらに、
前記測定位置における前記第１の色の光および／または前記第２の色の光に対する個別の輝度および／または色度データを、前記個別のスペクトル分布に基づいて決定するステップを含む方法。
【請求項６】
請求項５に記載の方法であって、さらに、
前記複数のセグメントのうちの少なくとも１つに対する前記第１の色の光および前記第２の色の光のうちの少なくとも１つの放射の前記デューティサイクルを、前記個別のスペクトル分布に基づいて光の輝度変動を低減するように調節するステップを含む方法。
【請求項７】
請求項６に記載の方法において、
前記複数のセグメントのそれぞれは、さらに、前記パルス幅変調制御信号に対する応答として第３の色の光を放射するように構成され、前記複数のセグメントを励起するステップは、さらに、前記第１、第２、および第３の色の光を同時に放射するように前記複数のセグメントを励起するステップを含み、前記個別のスペクトル分布を導出するステップは、さらに、前記総放射データに基づいて、前記第１、第２、および第３の色の光のそれぞれに対する個別のスペクトル分布を導出するステップを含む方法。
【請求項８】
請求項７に記載の方法において、
前記第１の色の光は赤色波長帯の光を含み、前記第２の色の光は緑色波長帯の光を含み、前記第３の色の光は青色波長帯の光を含む方法。
【請求項９】
請求項１に記載の方法であって、さらに、
前記総放射データに基づいて、前記照明パネルに対する平均セグメント輝度を決定するステップと、
前記平均セグメント輝度に対する前記複数のセグメントのうちの１つのセグメントの輝度変動を決定するステップと、
前記複数のセグメントのうちの前記１つのセグメントの前記輝度変動を閾値と比較するステップと、
前記閾値を超える前記複数のセグメントのうちの前記１つのセグメントの前記輝度変動に応じて、前記複数のセグメントのうちの前記１つのセグメントに対する前記第１の色の光および前記第２の色の光のうちの少なくとも一方の放射の前記デューティサイクルを調節して前記輝度変動を低減するステップとを含む方法。
【請求項１０】
請求項９に記載の方法において、
前記測定位置は、前記照明パネルのほぼ中心の位置を含む方法。
【請求項１１】
請求項１に記載の方法において、
前記複数のセグメントのそれぞれのセグメントは、タイルのグループを含む方法。
【請求項１２】
請求項１に記載の方法において、
前記複数のセグメントのそれぞれのセグメントは、タイルのバーを含む方法。
【請求項１３】
各セグメントが、各デューティサイクルを有するパルス幅変調制御信号に対する応答として赤色、緑色、および青色の光を放射するように構成されている複数のセグメントを備える照明パネルを較正する方法であって、
赤色、緑色、および青色の光を同時に放射するように前記複数のセグメントを励起するステップと、
測定位置において前記複数のセグメントに対する赤色、緑色、および青色の組合せ光出力を測定して総放射データを取得するステップと、
前記赤色、緑色、および青色の光のそれぞれに対応する波長帯に対する個別のスペクトル分布を、前記赤色、緑色、および青色の光に対する前記総放射データおよび予想放射データの外挿に基づいて計算するステップとを含む方法。
【請求項１４】
請求項１３に記載の方法であって、さらに、
前記複数のセグメントのうちの少なくとも１つに対する前記赤色、緑色、および青色の光のうちの少なくとも１つの放射の前記デューティサイクルを、前記個別のスペクトル分布に基づいて光の輝度変動を低減するように調節するステップを含む方法。
【請求項１５】
各セグメントが、各デューティサイクルを有するパルス幅変調制御信号に対する応答として第１の色の光および第２の色の光を放射するように構成されている複数のセグメントを備える照明パネルを較正するための較正システムであって、
前記照明パネルに結合されるように構成された較正コントローラと、
前記較正コントローラに結合され、比色計を備える較正ユニットとを備え、
前記較正コントローラは、前記複数のセグメントを励起して前記第１の色の光および前記第２の色の光を同時に放射するように構成され、前記較正ユニットは、測定位置において前記複数のセグメントからの組合せ光出力を測定して総放射データを取得するように構成され、前記較正コントローラは、前記総放射データに基づいてこれらの光に対応する各波長帯にわたって前記第１の色の光および前記第２の色の光のそれぞれに対する個別のスペクトル分布を導出するように構成される較正システム。
【請求項１６】
請求項１５に記載の較正システムにおいて、
前記較正コントローラは、前記第１の色の光および前記第２の色の光のそれぞれに対する前記個別のスペクトル分布を、前記第１の色の光および前記第２の色の光のそれぞれに対する前記総放射データおよびレファレンス放射データに基づいて導出するように構成される較正システム。
【請求項１７】
請求項１６に記載の較正システムにおいて、
前記較正コントローラは、さらに、前記総放射データに基づいて前記第１の色および前記第２の色のそれぞれに対応する各波長帯において局所的ピークに関する第１の波長および第２の波長を決定し、前記第１の波長値および第２の波長値に基づいてアルゴリズムに対する各点を選択し、前記各開始点に基づいて前記アルゴリズムを使用して前記第１の色の光および前記第２の色の光のそれぞれに対する前記個別のスペクトル分布を計算するように構成される較正システム。
【請求項１８】
請求項１７に記載の較正システムにおいて、
前記各点は前記アルゴリズムに対する開始点を含み、前記較正コントローラは、前記第１の波長と前記第２の波長との間の波長帯に対する前記個別のスペクトル分布の部分を外挿するように構成される較正システム。
【請求項１９】
請求項１８に記載の較正システムにおいて、
前記較正コントローラは、前記測定位置における前記第１の色の光および／または前記第２の色の光に対する個別の輝度および／または色度データを、前記個別のスペクトル分布に基づいて決定するように構成される較正システム。
【請求項２０】
請求項１９に記載の較正システムにおいて、
前記較正コントローラは、前記複数のセグメントのうちの少なくとも１つに対する前記第１の色の光および前記第２の色の光のうちの少なくとも１つの放射の前記デューティサイクルを調節して、前記個別のスペクトル分布に基づいて光の輝度変動を低減するように構成される較正システム。
【請求項２１】
請求項２０に記載の較正システムにおいて、
前記複数のセグメントのそれぞれは、さらに、前記パルス幅変調制御信号に対する応答として第３の色の光を放射するように構成され、前記較正コントローラは、前記複数のセグメントを励起して前記第１、第２、および第３の色の光を同時に放射し、前記総放射データに基づいて前記第１、第２、および第３の色の光のそれぞれに対する個別のスペクトル分布を導出するように構成される較正システム。
【請求項２２】
請求項２１に記載の較正システムにおいて、
前記第１の色の光は赤色波長帯の光を含み、前記第２の色の光は緑色波長帯の光を含み、前記第３の色の光は青色波長帯の光を含む較正システム。
【請求項２３】
請求項１５に記載の較正システムにおいて、
前記較正ユニットは、さらに、前記比色計に接続され、前記比色計を二次元平面内の前記測定位置に移動するように構成されているＸＹポジショナーを備える較正システム。
【請求項２４】
請求項１５に記載の較正システムにおいて、
前記較正ユニットは、さらに、
入口を有するエンクロージャと、
前記エンクロージャの外部から前記入口を通って前記エンクロージャの内部に入るコンベヤーと、
前記コンベヤー上に載り、較正時に前記照明パネルを保持するように構成されているパレットと、
前記コンベヤーおよび前記パレットは、前記照明パネルをエンクロージャ内に持ち込むように構成され、前記比色計は、前記照明パネルの前記複数のセグメントから放射される前記組合せ光出力を検出するように前記エンクロージャ内に位置決めされる較正システム。